(57)【要約】【課題】  １人以上のユーザが創作した複数の創作物を、不特定多数のユーザが同時に認識できるようにする。【解決手段】  １人以上のユーザが作成した創作物を仮想空間システムが提供する仮想空間に配置することで、複数の創作物を同時に画面上に表示する。また、仮想空間上での創作を行うための支援ツールを提供する。【選択図】    図２
2005228286.tif 000002
【特許請求の範囲】
【請求項１】
ネットワークに接続された仮想空間サーバと、仮想空間にアクセスし利用できるネットワークに接続可能なユーザ端末、仮想空間のイメージをブラウザや画像（動画、静止画）等により表示できるネットワークに接続可能な閲覧端末（携帯端末を含む）から構成される仮想空間上での創作支援システムにおいて、仮想空間に複数の創作物を配置できることを特徴とする仮想空間上での創作支援システム。
【請求項２】
請求項１と同様のシステムにおいて、仮想空間のオブジェクトに対して直接創作できることを特徴とする仮想空間上での創作支援システム。
【請求項３】
請求項１、２と同様のシステムにおいて、仮想空間での創作を行うためのツールを提供することを特徴とする仮想空間上での創作支援システム。
【請求項４】
請求項１〜３と同様のシステムにおいて、支援ツールは、創作物を１人以上のユーザで同時に共同して創作できることを特徴とする仮想空間上での創作支援システム。
【請求項５】
請求項１〜４と同様のシステムにおいて、複数の創作物を画面上に同時に表現することを特徴とする仮想空間上での創作支援システム。
【請求項６】
請求項１〜５と同様のシステムにおいて、仮想空間上の創作物の画像（動画、静止画）を他のホームページに表示できる事を特徴とする仮想空間上での創作支援システム。
【請求項７】
請求項１〜６と同様のシステムにおいて、仮想空間に複数の広告を配置できることを特徴とする仮想空間上での創作支援システム。
【発明の詳細な説明】
【技術分野】
【０００１】本発明は、１人以上のユーザが創作した創作物を、不特定多数のユーザが同時に認識できるための仮想空間上での創作支援システムに関するものである。
【背景技術】
【０００２】ネットワーク上での創作物作成ソフトウェアとして共有ホワイトボードがある。共有ホワイトボードはネットワークで繋がっている複数のユーザが１つのキャンバスに対して図形や文字を描くことができる。
【発明の開示】
【発明が解決しようとする課題】
【０００３】従来の創作物作成ソフトウェアでは、創作物の形は決まったものであり、造形の異なる創作物の作成および同時に閲覧することが困難である。ユーザからしてみると、様々な創作物を産み出したいという欲求が予想される。【０００４】上記の問題を解決し、本発明においては、仮想空間上のオブジェクトに対して、１人以上のユーザが直接創造できる仮想空間を提供する。また、創造物を仮想空間に配置することにより、不特定多数のユーザが創作物を同時に認識できるようにする。これにより、ユーザが創作意欲を沸かせ、創造力を養うことも期待できる。
【課題を解決するための手段】
【０００５】上記課題を解決する為に、請求項１に記載の発明においては、ネットワークに接続された仮想空間サーバと、仮想空間にアクセスし利用できるネットワークに接続可能なユーザ端末、仮想空間のイメージをブラウザや画像（動画、静止画）等により表示できるネットワークに接続可能な閲覧端末（携帯端末を含む）から構成される仮想空間上での創作支援システムにおいて、仮想空間に複数の創作物を配置できる仕組みを構成する。【０００６】また、請求項２に記載の発明においては、仮想空間のオブジェクトに対して直接創作できる仕組みを構成する。【０００７】したがって、請求項１、２の発明によれば仮想空間のオブジェクトを用いた創作が可能となり、仮想空間には複数の創作物を配置できるようになる。【０００８】また、請求項３に記載の発明においては、仮想空間での創作を行うためのツールを提供する。【０００９】また、請求項４に記載の発明においては、支援ツールは、創作物を１人以上のユーザで同時に共同して創作できる仕組みを提供する。【００１０】したがって、請求項３、４の発明によれば仮想空間での創作ツールを提供することにより、ユーザの創作を支援し、創作に対する敷居を低くすることができる。【００１１】また、請求項５に記載の発明においては、複数の創作物を画面上に同時に表現できる仕組みを提供する。【００１２】また、請求項６に記載の発明においては、仮想空間上の創作物の画像（動画、静止画）を他のホームページに表示できる仕組みを提供する。【００１３】また、請求項７に記載の発明においては、仮想空間に複数の広告を配置できる仕組みを提供する。【００１４】したがって、請求項５〜７の発明によれば仮想空間に複数の創作物を同時に表現することによる創作物の同時認識、創作物の他のホームページへの公開、広告配置による創作物の評価により、ユーザの創作意欲を上げることができる。
【発明の効果】
【００１５】仮想空間上での創作支援システムの構築により、第１の効果として、１人以上のユーザが共同して仮想空間に存在するオブジェクトを直接創造し、創造物を仮想空間上に配置することができる。【００１６】第２の効果として、仮想空間上に複数の創作物を表示する事、創造物を他のホームページに表示する事、広告の配置による評価により、創作物をより多くの人に見てもらうことができ、創作への意欲の高まり、創造力の向上が期待できる。【００１７】第３の効果として、他人が創作した創作物の鑑賞や創作物コンテストなどのイベント開催により、ユーザの創作テクニックの向上が期待できる。
【発明を実施するための最良の形態】
【００１８】以下、図面を参照して本発明の実施の形態について説明する。図１は本発明の基本的な構成を示すシステム構成図である。本システムはネットワークを介して接続される仮想空間サーバ１と複数台のユーザ端末２、複数台の閲覧端末３から構成される。【００１９】仮想空間サーバ１は仮想空間で創作物の作成、配置するためのツールサービスの提供、閲覧端末３に仮想空間上の映像を表示するためのＷｅｂサービス、ユーザ認証を行うためのアカウント管理およびユーザ端末２とのデータ同期を管理する仮想空間管理サービス、仮想空間の情報を管理する仮想空間情報管理サービスから構成される。【００２０】仮想空間上での創作支援システムを利用するユーザは、ユーザ端末２からネットワークを介して、仮想空間サーバ１にアクセスして希望する仮想世界に対してユーザ認証を行う。ユーザ認証後、自端末のソフトウェアおよび情報が最新版か否かを確認し、最新版でない場合は仮想空間サーバから最新版のソフトウェアおよび情報をダウンロードする。この処理が終了した時点からユーザは各種仮想空間上での創作支援システムサービスを受けることができる。【００２１】図２はユーザが仮想世界を移動する際に使用する画面イメージである。風景ウィンドウ４にはユーザキャラクタから見た町の風景が表示される。風景に表示されているオブジェクトは創作物の対象となる。風景には創作物がオブジェクトとして配置される。【００２２】チャットウィンドウ１０はチャットを行うための入力ウィンドウであり、入力した文字列はチャット５に表示する。チャット５に表示する文字列は背景に透過する文字列とし背景の表示を妨げないものとする。またチャット５には、同一の画面内に存在するユーザの会話のみを表示する。【００２３】地図ウィンドウ８は仮想世界の広域地図と自キャラクターの位置を表示する。したがって、風景ウィンドウ４で落書きやチャットをしている場合でも、自キャラクターの位置を確認することができる。【００２４】ユーザ情報ウィンドウ９にはユーザ情報、友達の参加状況などを表示する。【００２５】図３はユーザが創作をする際に使用する画面イメージである。図２の画面にてオブジェクトを選択し創作の実行を行った場合に図３の画面を表示する。キャンバスウィンドウ１２には選択したオブジェクトを表示する。既に手が加えられている場合は、その状態で表示される。キャンバスウィンドウ１２には自キャラクターのペンが表示され、マウス、タブレットのペンなどの入力装置を用いて創作を行う。創作は複数人にて行うことができ、創作した内容は該当オブジェクトを開いているユーザ全てにリアルタイムに反映される。【００２６】参加者ウィンドウ１３には同時に創作を行っている参加者の一覧を表示する。【００２７】バレットウィンドウ１４はキャンバスウィンドウ１２に対して創作を行うために画材を選択するウィンドウであり、ペンの種類、部品の種類、太さ、色などを設定することができる。色は予め決められたカラーパレットの中から選択することができる。また、既在の色には無い色を使用したい場合は、連続的に変化した色調の中から色を選択する事ができ、選択した色はカラーパレットに登録することができる。【００２８】ユーザ情報ウィンドウ１５にはユーザ情報、友達の参加状況などを表示する。【００２９】チャットウィンドウ１７はチャットを行うための入力ウィンドウであり、入力した文字列はチャットログウィンドウ１６に表示する。チャットログウィンドウ１６はスクロールバーを操作により画面に表示しきれない過去のチャットを参照することもできる。
【図面の簡単な説明】
【００３０】
【図１】本発明のシステムの基本的な構成を示すシステム構成図である。
【図２】本発明の１実施例によるユーザが仮想世界を移動する際の画面例である。
【図３】本発明の１実施例によるユーザが創作する際の画面例である。
【符号の説明】
【００３１】    １仮想空間サーバ
２ユーザ端末
３閲覧端末
４風景ウィンドウ
５チャット
６創作物の対象となるオブジェクト
７広告を配置する看板
８地図ウィンドウ
９，１５ユーザ情報ウィンドウ
１０，１７チャットウィンドウ
１１創作物
１２キャンバスウィンドウ
１３参加者ウィンドウ
１４パレットウィンドウ
１６チャットログウィンドウ
【図１】
2005228286.tif 000003
【図２】
2005228286.tif 000004
【図３】
2005228286.tif 000005